(57)【要約】【課題】限られた記憶容量を利用して迅速に複数部の印刷を行うことのできる技術を提供する。【解決手段】ＹＵＶデータを圧縮してＪＰＥＧデータに変換するとともに、ＪＰＥＧデータをＣＭＹＫデータに変換する変換部５と、ＪＰＥＧデータを記憶するＪＰＥＧデータ用領域３ｂと、ＣＭＹＫデータの少なくとも一部を記憶するＣＭＹＫデータ用領域３ａと、同一ページを複数部印刷する際の２部目以降の印刷において、ＣＭＹＫデータ用領域３ａにページの一部分のみのＣＭＹＫデータしか記憶されていない場合に、ページの一部分については、ＣＭＹＫデータに基づいて印刷させると共に、ページの残りの部分については、ＪＰＥＧデータ用領域３ｂに記憶されたＪＰＥＧデータに基づいて印刷させるＣＰＵ４とを備えるように構成する。【選択図】図１
2009218628.tif 000002
【特許請求の範囲】
【請求項１】
原稿をページ単位に読み込んで読取データを出力するスキャナ機能部と、所定の画像形成媒体に印刷を実行するプリンタ機能部とを有する複合機において、
前記読取データを圧縮して第１データに変換する第１変換手段と、
前記第１データを記憶する第１データ記憶手段と、
前記読取データ又は前記第１データを、前記第１データより短時間で前記プリンタ機能部による印刷を実行可能な第２データに変換する第２変換手段と、
前記生成された第２データの少なくとも一部を記憶する第２データ記憶手段と、
同一ページを複数部印刷する際の２部目以降の印刷において、前記第２データ記憶手段に、前記ページの全体の第２データが記憶されている場合には、前記第２データに基づいて前記プリンタ機能部に印刷させ、前記第２データ記憶手段に前記ページの一部分のみの第２データしか記憶されていない場合には、前記ページの一部分については、前記第２データに基づいて前記プリンタ機能部に印刷させると共に、前記ページの残りの部分については、前記第１データ記憶手段に記憶された第１データに基づいて前記プリンタ機能部に印刷させる印刷制御手段と
を有する複合機。
【請求項２】
前記第２データ記憶手段に記憶された前記第２データに対応する前記ページの部分を特定する位置特定情報を記憶する位置特定情報記憶手段を更に備え、
前記印刷制御手段は、前記第２データ記憶手段に前記ページの一部分のみの第２データしか記憶されていない場合には、前記ページの残りの部分については、前記位置特定情報に基づいて、前記ページの残りの部分に対応する前記第１データの部分データを特定し、特定した前記第１データの部分データに基づいて前記プリンタ機能部に印刷させる
請求項１に記載の複合機。
【請求項３】
前記印刷制御手段は、１部目の印刷において、前記第１データから変換された第２データに基づいて前記プリンタ機能部に印刷させる
請求項１又は請求項２に記載の複合機。
【請求項４】
前記第１変換手段は、前記読取データにＪＰＥＧ圧縮を行って第１データを得る
請求項１乃至請求項３のいずれか一項に記載の複合機。
【請求項５】
前記第２データは、ＣＭＹＫデータである
請求項１乃至請求項４のいずれか一項に記載の複合機。
【請求項６】
原稿をページ単位に読み込んで読取データを出力するスキャナ機能部と、所定の画像形成媒体に印刷を実行するプリンタ機能部とを有する複合機による印刷制御方法であって、
前記複合機の第１変換手段が、前記読取データを圧縮して第１データに変換する第１変換ステップと、
前記第１データを第１データ記憶手段に記憶する第１データ記憶ステップと、
前記複合機の第２変換手段が、前記読取データ又は前記第１データを、前記プリンタ機能部による印刷を前記第１データより短時間で実行可能な第２データに変換する第２変換ステップと、
前記生成された第２データの少なくとも一部を第２データ記憶手段に記憶する第２データ記憶ステップと、
前記複合機の印刷制御手段が、同一ページを複数部印刷する際の２部目以降の印刷において、前記第２データ記憶手段に、前記ページの全体の第２データが記憶されている場合には、前記第２データに基づいて前記プリンタ機能部に印刷させる第１印刷制御ステップと、
前記複合機の印刷制御手段が、同一ページを複数部印刷する際の２部目以降の印刷において、前記第２データ記憶手段に前記ページの一部分のみの第２データしか記憶されていない場合には、前記ページの一部分については、前記第２データに基づいて前記プリンタ機能部に印刷させると共に、前記ページの残りの部分については、位置特定情報記憶手段に記憶されている第２データに対応する前記ページの部分を特定する位置特定情報に基づいて、前記ページの残りの部分に対応する前記第１データの部分データを特定し、特定した前記第１データの部分データに基づいて前記プリンタ機能部に印刷させる第２印刷制御ステップと
を有する印刷制御方法。
【発明の詳細な説明】
【技術分野】
【０００１】
本発明は、原稿をページ単位に読み込んで読取データを出力するスキャナ機能部と、所定の画像形成媒体に印刷を実行するプリンタ機能部とを有する複合機等に関し、特に、同一ページを複数部印刷する技術に関する。
【背景技術】
【０００２】
従来、複合機においては、原稿をページ単位に読み込んで、その原稿の画像を画像形成媒体に印刷することが行われている。このような複合機においては、同一のページを複数部印刷できるようになっている。
【０００３】
複数部を印刷する際における技術としては、バッファに、複写する原稿の印刷ヘッドの駆動信号に対応するデータを記憶しておき、その記憶しておいたデータを用いて複数部印刷する技術が開示されている（例えば、特許文献１参照）。
【０００４】
【特許文献１】特開２００４−１２８８９５号公報
【発明の開示】
【発明が解決しようとする課題】
【０００５】
上記した特許文献１の技術においては、複数部を印刷する際に、原稿の画像データをバッファに記憶しきれない場合には、２部目以降においても、その都度スキャナにより原稿を読み取って印刷を繰り返す必要があり、印刷時間が長時間に亘るという問題がある。
【０００６】
一方、原稿のデータを全て記憶できるような記憶領域を有するバッファを設けることにより、上記した問題は解消することができるが、装置コストが増大するという問題がある。
【０００７】
本発明は、上記課題に鑑みなされたものであり、その目的は、限られた記憶容量を利用して迅速に複数部の印刷を行うことのできる技術を提供することにある。
【課題を解決するための手段】
【０００８】
上記目的達成のため、本発明の一実施形態に係る複合機は、原稿をページ単位に読み込んで読取データを出力するスキャナ機能部と、所定の画像形成媒体に印刷を実行するプリンタ機能部とを有する複合機において、読取データを圧縮して第１データに変換する第１変換手段と、第１データを記憶する第１データ記憶手段と、読取データ又は第１データを、第１データより短時間でプリンタ機能部による印刷を実行可能な第２データに変換する第２変換手段と、生成された第２データの少なくとも一部を記憶する第２データ記憶手段と、同一ページを複数部印刷する際の２部目以降の印刷において、第２データ記憶手段に、ページの全体の第２データが記憶されている場合には、第２データに基づいてプリンタ機能部に印刷させ、第２データ記憶手段にページの一部分のみの第２データしか記憶されていない場合には、ページの一部分については、第２データに基づいてプリンタ機能部に印刷させると共に、ページの残りの部分については、第１データ記憶手段に記憶された第１データに基づいてプリンタ機能部に印刷させる印刷制御手段とを有する。
【０００９】
係る複合機によると、２部目以降の印刷において、第２データ記憶手段に記憶されている第２データを利用して印刷させることができるので、迅速に印刷させることができる。
【００１０】
上記複合機において、第２データに対応するページの部分を特定する位置特定情報を記憶する位置特定情報記憶手段を更に備え、印刷制御手段は、第２データ記憶手段にページの一部分のみの第２データしか記憶されていない場合には、ページの残りの部分については、位置特定情報に基づいて、ページの残りの部分に対応する第１データの部分データを特定し、特定した第１データの部分データに基づいてプリンタ機能部に印刷させるようにしてもよい。
【００１１】
係る複合機によると、ページの残り部分に対応する第１データの部分データを適切に把握して印刷に用いることができる。
【００１２】
また、上記複合機において、印刷制御手段は、１部目の印刷において、第１データから変換された第２データに基づいてプリンタ機能部に印刷させるようにしてもよい。
【００１３】
係る複合機によると、１部目と、２部目以降の印刷品質をあわせることができる。
【００１４】
また、上記複合機において、第１変換手段は、読取データにＪＰＥＧ圧縮を行って第１データを得るようにしてもよい。また、上記複合機において、第２データは、ＣＭＹＫデータであってもよい。
【００１５】
また、上記目的達成のため、本発明の一実施形態に係る印刷制御方法は、原稿をページ単位に読み込んで読取データを出力するスキャナ機能部と、所定の画像形成媒体に印刷を実行するプリンタ機能部とを有する複合機による印刷制御方法であって、複合機の第１変換手段が、読取データを圧縮して第１データに変換する第１変換ステップと、第１データを第１データ記憶手段に記憶する第１データ記憶ステップと、複合機の第２変換手段が、読取データ又は第１データを、プリンタ機能部による印刷を第１データより短時間で実行可能な第２データに変換する第２変換ステップと、生成された第２データの少なくとも一部を第２データ記憶手段に記憶する第２データ記憶ステップと、複合機の印刷制御手段が、同一ページを複数部印刷する際の２部目以降の印刷において、第２データ記憶手段に、前記ページの全体の第２データが記憶されている場合には、第２データに基づいてプリンタ機能部に印刷させる第１印刷制御ステップと、複合機の印刷制御手段が、同一ページを複数部印刷する際の２部目以降の印刷において、第２データ記憶手段にページの一部分のみの第２データしか記憶されていない場合には、ページの一部分については、第２データに基づいてプリンタ機能部に印刷させると共に、ページの残りの部分については、特定情報記憶手段に記憶されている第２データに対応するページの部分を特定する位置特定情報に基づいて、ページの残りの部分に対応する第１データの部分データを特定し、特定した第１データの部分データに基づいてプリンタに印刷させる第２印刷制御ステップとを有する。
【００１６】
係る印刷制御方法によると、２部目以降の印刷において、第２データ記憶手段に記憶されている第２データを利用して印刷させることができるので、迅速に印刷させることができる。
【発明を実施するための最良の形態】
【００１７】
本発明の実施形態について、図面を参照して説明する。なお、以下に説明する実施形態は特許請求の範囲にかかる発明を限定するものではなく、また実施形態の中で説明されている諸要素及びその組み合わせの全てが発明の解決手段に必須であるとは限らない。
【００１８】
まず、本発明の一実施形態に係る複合機を説明する。
【００１９】
図１は、本発明の一実施形態に係る複合機の構成図である。
【００２０】
複合機１において、ＲＯＭ（Read Only Memory）２と、第１データ記憶手段、第２データ記憶手段及び位置特定情報記憶手段の一例としてのＲＡＭ（Random
Access Memory）３と、ＣＰＵ（Central Processing Unit）４と、第１変換手段及び第２変換手段の一例としての変換部５と、プリンタ機能部６と、スキャナ機能部７とがバス８を介して接続されている。
【００２１】
プリンタ機能部６は、インクを吐出するインクヘッド６ａを有し、渡されるデータに基づいて、例えば、紙、ＯＨＰシート、厚紙、封筒等の画像形成媒体に画像を形成する。
【００２２】
スキャナ機能部７は、図示しない原稿給紙トレイに載置された紙、ＯＨＰシート等の原稿の画像をページ単位で取り込んでデジタル形式の画像データ（取込データ）を生成する。本実施形態では、スキャナ機能部７は、原稿の画像をＲＧＢ（レッド（Ｒ）、グリーン（Ｇ）、ブルー（Ｂ））形式の画像データで取り込み、当該ＲＧＢ形式の画像データをＹＵＶ形式の画像データ（ＹＵＶデータ：取込データ）に変換してＣＰＵ４に渡す。ここでＹＵＶ形式とは、輝度信号（Ｙ）と、輝度信号と青色成分の差（Ｕ）と、輝度信号と赤色成分の差（Ｖ）との成分により構成される形式である。
【００２３】
ＲＯＭ２は、ブートプログラム等のプログラムや、変更されることのないデータを記憶する。
【００２４】
ＲＡＭ３は、プログラムやデータを記憶する領域として、或いは、ＣＰＵ４による処理に使用しているデータを格納する作業領域として利用される。本実施形態では、ＲＡＭ３は、ＣＭＹＫ（シアン（Ｃ）、マゼンタ（Ｍ）、イエロー（Ｙ）、ブラック（Ｋ））形式のデータ（ＣＭＹＫデータ：第２データ）を記憶するＣＭＹＫデータ用領域３ａと、ＪＰＥＧ（Joint Photographic Expert Group）形式のデータ（ＪＰＥＧデータ：第１データ）を記憶するＪＰＥＧデータ用領域３ｂとを有する。
【００２５】
ＣＭＹＫデータ用領域３ａは、ランレングス圧縮したＣＭＹＫデータが格納されている。このＣＭＹＫデータは、本実施形態では、インクヘッドの駆動信号に対応するＣＭＹＫ形式のラスタデータとなっており、ランレングス伸張をすることにより、プリンタ機能部６による印刷に直接利用することができるので、ＪＰＥＧデータに比して短時間で印刷を行うことができる。
【００２６】
ＪＰＥＧデータ用領域３ｂは、スキャナ機能部７により読み取ることができる最大の原稿の１ページ全体に対応するＪＰＥＧデータを格納することのできる記憶容量を有している。ＪＰＥＧデータは、ＣＭＹＫデータより圧縮率を高くすることができるので、最大の原稿の１ページ全体に対応するデータを格納するために必要な記憶容量を抑えることができる。すなわち、最大の原稿の１ページ全体に対応するデータを格納するためにＪＰＥＧデータ用領域３ｂを用いることにより、最大の原稿の１ページ全体に対応するデータを格納するためにＣＭＹＫデータ用領域３ａで実現するよりは少ない記憶容量で済む。したがって、ＲＡＭ３に要するコストを低減することができる。
【００２７】
また、ＲＡＭ３は、ＣＭＹＫデータ用領域３ａに格納したＣＭＹＫデータに対応するページの部分を特定する位置特定情報を記憶する。本実施形態では、ＣＭＹＫデータは、例えば、インクヘッド６ａの高さ×ページの横幅を単位として先頭から順に圧縮されて格納されるので、位置特定情報として、格納したデータに対応するヘッドの高さの数を記憶する。
【００２８】
変換部５は、ＣＰＵ４から受け取ったＹＵＶデータに対してＪＰＥＧ圧縮を行うことにより、ＪＰＥＧデータに変換し、ＣＰＵ４に返す。また、変換部５は、ＣＰＵ４からＪＰＥＧデータ（又はその部分データ）を受け取って、ＪＰＥＧデータを伸張することによりＲＧＢ形式のデータ（ＲＧＢデータ）に変換し、当該ＲＧＢデータに対してＣＭＹＫ変換及びハーフトーン処理等を実行することにより、ＣＭＹＫデータに変換し、当該ＣＭＹＫデータをＣＰＵ４に渡す。
【００２９】
ＣＰＵ４は、各部２、３、５〜７の動作を制御する。特に、ＣＰＵ４は、ＲＯＭ２に格納されているプログラムをＲＡＭ３に読出して実行することにより、印刷制御手段を構成する。
【００３０】
ＣＰＵ４は、スキャナ機能部７から受け取ったＹＵＶデータを変換部５に渡し、変換部５から対応するＪＰＥＧデータを受け取ってＲＡＭ３のＪＰＥＧデータ用領域３ｂに格納する。
【００３１】
また、ＣＰＵ４は、複数部印刷の際の１部目の印刷処理時においては、ＪＰＥＧデータ用領域３ｂからＪＰＥＧデータを取得して、変換部５に渡し、変換部５から対応するＣＭＹＫデータを取得し、ＣＭＹＫデータをインクヘッド６ａに供給するとともに、ＣＭＹＫデータ用領域３ａに空きがある場合には、ＣＭＹＫデータを先頭から所定の単位（インクヘッド６ａの高さ×ページの横幅）のデータ毎にランレングス圧縮してＣＭＹＫデータ用領域３ａに格納する。この際、ＣＰＵ４は、ＣＭＹＫデータ用領域３ａに格納した単位数をＲＡＭ３に格納する。ここで、インクヘッド６ａの高さ及び単位数によると、ページのどの位置（高さ）までＣＭＹＫデータが格納されているかを把握でき、これにより、ページの残りの部分を特定することができる。このため、ＪＰＥＧデータからページの残り部分に対応する部分データ（ＪＰＥＧデータのどのラインのデータか）を適切に把握することができる。
【００３２】
また、ＣＰＵ４は、複数部印刷する際の２部目以降の印刷においては、ＣＭＹＫデータ用領域３ａにページ全体のＣＭＹＫデータが格納されているか否かを判定し、ページ全体のＣＭＹＫデータが格納されている場合には、ＣＭＹＫデータ用領域３ａからＣＭＹＫデータを取得し、ランレングス伸張を行って、インクヘッド６ａに供給することにより、プリンタ機能部６に印刷を実行させる。
【００３３】
また、ＣＰＵ４は、複数部印刷する際の２部目以降の印刷において、ページの一部分のみのＣＭＹＫデータしか格納されていない場合には、ＣＭＹＫデータ用領域３ａから格納されているＣＭＹＫデータを取得し、ランレングス伸張を行って、インクヘッド６ａに供給することにより、プリンタ機能部６にページの一部分についての印刷を実行させ、更に、ＲＡＭ３の位置特定情報に基づいて、ＪＰＥＧデータ用領域３ｂからページの残りの部分に対応するＪＰＥＧデータの部分データを取り出して、当該部分データを変換部５に渡し、変換部５からページの残り部分に対応するＣＭＹＫデータを取得し、ヘッドの高さに対応する分のＣＭＹＫデータを単位としてインクヘッド６ａに順次供給することにより、プリンタ機能部６にページの残り部分についての印刷を実行させる。
【００３４】
次に、本発明の一実施形態に係るコピー処理について説明する。
【００３５】
図２は、本発明の一実施形態に係るコピー処理のフローチャートである。
【００３６】
ＣＰＵ４は、例えば、複合機１において図示しない入力装置によるユーザの操作に応じて、複数部のコピー指示を受け付けたか否かを判定し（ステップＳ１）、受け付けていない場合（ステップＳ１：ＮＯ）には、複数部のコピー指示を受け付けるまでウェイトする。一方、コピー指示が受け付けた場合（ステップＳ１：ＹＥＳ）には、ＣＰＵ４は、スキャナ機能部７により原稿給紙トレイに載置された原稿の１ページについて所定の大きさの領域についての画像を取り込ませ、その画像部分のＹＵＶデータを取得する（ステップＳ２）。
【００３７】
次いで、ＣＰＵ４は、取得したＹＵＶデータを変換部５に渡して、ＹＵＶデータをＪＰＥＧ圧縮させてＪＰＥＧデータに変換させ、変換部５からＪＰＥＧデータを受け取って、ＪＰＥＧデータ用領域３ｂに溜め込ませる（ステップＳ３）。
【００３８】
更に、ＣＰＵ４は、ＪＰＥＧデータ用領域３ｂからＪＰＥＧデータを取得し、変換部５に渡す。変換部５は、ＪＰＥＧデータを伸張してＲＧＢデータとし（ステップＳ４）、ＣＭＹＫ変換及びハーフトーン処理等を実行してＣＭＹＫデータを生成し、ＣＰＵ４に渡す（ステップＳ５）。
【００３９】
ＣＰＵ４は、ＣＭＹＫデータをＣＭＹＫデータ用領域３ａに溜め込める場合には、ＣＭＹＫデータを溜め込むとともに、ＲＡＭ３のＣＭＹＫデータ用領域３ａに格納した単位の数をインクリメントし（ステップＳ６）、当該ＣＭＹＫデータをインクヘッド６ａに供給してプリンタ機能部６に印刷処理を実行させる（ステップＳ７）。
【００４０】
次いで、ＣＰＵ４は、１部目の処理が終わったか否かを判定し（ステップＳ８）、まだ終わっていない場合には、上記したステップＳ２からの処理を更に実行する。
【００４１】
一方、１部目の処理が終わった場合（ステップＳ８：ＹＥＳ）には、ＣＰＵ４は、１ページの全体に対応するＣＭＹＫデータが完全にＣＭＹＫデータ用領域３ａに格納されているか否かを判定し（ステップＳ９）、完全に格納されている場合には、ＣＰＵ４は、ＣＭＹＫデータ用領域３ａからＣＭＹＫデータを読み出して（ステップＳ１０）、インクヘッド６ａに供給してプリンタ機能部６に印刷処理を実行させる（ステップＳ１１）。
【００４２】
そして、ＣＰＵ４は、指定された全部数の印刷が終了したか否かを判定し（ステップＳ１２）、終了していない場合には、ステップＳ１０からの処理を実行する。一方、全部数の印刷が終了した場合（ステップＳ１２：ＹＥＳ）には、コピー処理を終了する。
【００４３】
一方、ＣＭＹＫデータ領域３ａにページの全体のＣＭＹＫデータが完全に格納されていない場合には、ＣＰＵ４は、使用可能なＣＭＹＫデータがあるか否かを判定し（ステップＳ１３）、使用可能なＣＭＹＫデータがある場合には、ＣＭＹＫデータ用領域３ａからＣＭＹＫデータを読み出して（ステップＳ１４）、インクヘッド６ａに供給してプリンタ機能部６に印刷処理を実行させ（ステップＳ１５）、ステップＳ１３に戻る。
【００４４】
一方、使用可能なＣＭＹＫデータがない場合、すなわち、ＣＭＹＫデータ用領域３ａのＣＭＹＫデータの全てを使用して印刷した場合には、ＣＰＵ４は、ＪＰＥＧデータ用領域３ｂから、ＣＭＹＫデータが格納されているページの部分以外の残りの部分に対応するＪＰＥＧデータの部分データを取得し、変換部５に渡す。変換部５は、ＪＰＥＧデータの部分データを伸張してＲＧＢデータとし（ステップＳ１６）、ＣＭＹＫ変換及びハーフトーン処理等を実行してＣＭＹＫデータを生成し、ＣＰＵ４に渡す（ステップＳ１７）。
【００４５】
ＣＰＵ４は、当該ＣＭＹＫデータをインクヘッド６ａに供給してプリンタ機能部６に印刷処理を実行させ（ステップＳ１８）、指定された全部数の印刷が終了したか否かを判定し（ステップＳ１９）、終了していない場合には、ステップＳ１３からの処理を実行する。一方、全部数の印刷が終了した場合（ステップＳ１９：ＹＥＳ）には、コピー処理を終了する。
【００４６】
図３は、本発明の一実施形態に係るコピー処理におけるデータの流れを説明する図であり、図４は、本発明の一実施形態に係るコピー処理における印刷を説明する図である。
【００４７】
上記した図２に示すコピー処理によると、１部目の印刷を行う際には、（１−１）に示すように、スキャナ機能部７により取り込まれたＹＵＶデータは、ＪＰＥＧデータに変換されてＪＰＥＧデータ用領域３ｂに格納される。そして、（１−２）に示すように、ＪＰＥＧデータ用領域３ｂからＪＰＥＧデータが取り出され、変換部４によって、ＪＰＥＧ伸張され、ＣＭＹＫ変換、ハーフトーン処理等が実行されてＣＭＹＫデータに変換され、（１−３）に示すように、インクヘッド６ａに供給されて印刷に利用されるとともに、（１−４）に示すように、ランレングス圧縮されて、ＣＭＹＫデータ用領域３ｂに格納される。
【００４８】
そして、２部目以降の印刷を行う際には、（２−１）に示すように、ＣＭＹＫデータ用領域３ｂに格納されたＣＭＹＫデータがランレングス伸張されて、インクヘッド６ａに供給されて印刷に利用される。ここで、原稿のページの全ての部分に対応するＣＭＹＫデータがＣＭＹＫデータ用領域３ｂに格納されている場合には、これにより、該当するページの全体の印刷ができる。一方、図４（ａ）に示すように、原稿のページの一部分のＣＭＹＫデータのみしかＣＭＹＫデータ用領域３ｂに格納されていない場合には、インクヘッド６ａには、図４（ｂ）に示すようにＣＭＹＫデータ用領域３ｂに格納されている全てのＣＭＹＫデータが供給される。これにより、用紙には、ページの一部分の画像が印刷される。
【００４９】
この場合には、更に、（２−２）及び図４（ｄ）に示すように、ＪＰＥＧデータ用領域３ａからページの残りの部分に対応するＪＥＰＧデータの部分データが、例えば、８ライン単位で順次取り出され、変換部４によって、伸張され、ＣＭＹＫ変換、ハーフトーン処理等が実行されて、ページの残りの部分に対応するＣＭＹＫデータに変換され、（２−３）及び図４（ｅ）に示すように、インクヘッド６ａの高さ分のデータを単位として、インクヘッド６ａに順次供給されて印刷に利用される。これによって、図４（ｃ）に示すように、ページの残りの部分の画像についても印刷されて、ページの全体の画像が印刷されることとなる。
【００５０】
上記したように、本実施形態によると、複数部を印刷する際の２部目以降の印刷時において、ページの一部に対応するＣＭＹＫデータのみしか記憶されていない場合に、当該ＣＭＹＫデータを利用してページの一部を印刷し、ページの残りの部分については、残りの部分に対応するＪＰＥＧデータの部分データを利用して印刷することができる。このため、ページの一部分については、ＪＰＥＧデータを利用して印刷する必要がなく、ＪＰＥＧデータの伸張、ＣＭＹＫ変換等の処理を実行する必要がないので迅速に印刷を行うことができる。また、残りの部分についても残りの部分に対応するＪＰＥＧデータの部分データのみを伸張、ＣＭＹＫ変換等することにより印刷できるので、ページの残り部分を迅速且つ適切に印刷することができる。
【００５１】
以上、本発明を実施形態に基づいて説明したが、本発明は上述した実施の形態に限られず、他の様々な態様に適用可能である。
【００５２】
例えば、上記実施形態では、原稿の全体をＪＰＥＧデータにより記憶するようにしていたが、本発明はこれに限られず、他の画像形式のデータであってもよく、要は、ＣＭＹＫデータよりも少ない記憶容量で原稿全体を記憶できる形式のデータであればよい。
【００５３】
また、上記実施形態では、１部目の印刷において、ＪＰＥＧデータをＣＭＹＫデータに変換し、インクヘッド６ａに供給するようにすることにより、１部目と２部目以降の印刷の状態をあわせるようにしていたが、本発明はこれに限られず、例えば、スキャナ機能部７により生成された読取データ（例えば、ＹＵＶデータ）をＣＭＹＫデータに変換して、インクヘッド６ａに供給するようにしてもよい。
【図面の簡単な説明】
【００５４】
【図１】本発明の一実施形態に係る複合機の構成図である。
【図２】本発明の一実施形態に係るコピー処理のフローチャートである。
【図３】本発明の一実施形態に係るコピー処理におけるデータの流れを説明する図である。
【図４】本発明の一実施形態に係るコピー処理における印刷を説明する図である。
【符号の説明】
【００５５】
１  複合機、２  ＲＯＭ、３  ＲＡＭ、３ａ  ＣＭＹＫデータ用領域、３ｂ  ＪＰＥＧデータ用領域、４  ＣＰＵ、５  変換部、６  プリンタ機能部、７  スキャナ機能部、８  バス。
【図１】
2009218628.tif 000003
【図２】
2009218628.tif 000004
【図３】
2009218628.tif 000005
【図４】
2009218628.tif 000006